(57)【要約】【課題】折損した先細り中空柱状物の地中残存部内に挿入した補強管を、前記地中残存部内で容易にかつ安定して支持できるようにする。【解決手段】折損した先細り中空柱状物の地中残存部の空洞部に、上側部が地上に臨出するように挿入される補強管と、地上に臨出する補強管の上側部に、折損した先細り中空柱状物の地上残存部を抱持させて仮固定する仮固定手段とを備えた、折損した先細り中空柱状物の仮固定装置において、空洞部内で補強管を支持できるように、補強管の周方向および軸方向に所定の間隔をおいて配置され、空洞部のテーパ内面に接離可能に設けられる複数の支持部と、複数の支持部を空洞部のテーパ内面に対して進退させる駆動部と、個々の支持部を空洞部のテーパ内面に所定の位置で圧接させる位置規制部とで構成される補強管支持手段を備える。【選択図】図１
2014206024.tif 000002
【特許請求の範囲】
【請求項１】
折損した先細り中空柱状物の地中残存部の空洞部に、上側部が地上に臨出するように挿入される補強管と、
地上に臨出する補強管の上側部に、折損した先細り中空柱状物の地上残存部を抱持させて仮固定する仮固定手段とを備えた、折損した先細り中空柱状物の仮固定装置において、
前記空洞部内で前記補強管を支持できるように、前記補強管の周方向および軸方向に所定の間隔をおいて配置され、前記空洞部のテーパ内面に接離可能に設けられる複数の支持部と、
該複数の支持部を前記空洞部のテーパ内面に対して進退させる駆動部と、
個々の支持部を前記空洞部のテーパ内面に所定の位置で圧接させる位置規制部とで構成される補強管支持手段を備えたことを特徴とする、折損した先細り中空柱状物の仮固定装置。
【請求項２】
前記支持部は、ロッドの先端部に着脱可能に取り付けられ、前記空洞部のテーパ内面に当接する当接板を備えたことを特徴とする請求項１に記載の、折損した先細り中空柱状物の仮固定装置。
【請求項３】
前記駆動部は、前記補強管に、該補強管の軸線に沿って挿入される操作軸と、該操作軸を正方向に回転操作することによって近接するとともに、前記操作軸を逆方向に回転操作することによって離間する一対の可動子と、互いの対向する一端部が回動自在に連結され、互いの他端部が前記一対の可動子に連結される屈伸アームと、前記操作軸を中心にして前記空洞部のテーパ内面に向かって延出するように、前記屈伸アームの両一端部の連結部に配置されるロッドとで構成されることを特徴とする請求項１または２に記載の、折損した先細り中空柱状物の仮固定装置。
【請求項４】
前記位置規制部は、前記ロッドに対して、前記空洞部のテーパ内面に応じて、前記ロッドの延出長さが設定されるように構成されることを特徴とする請求項１乃至３のいずれか１項に記載の、折損した先細り中空柱状物の仮固定装置。
【請求項５】
前記位置規制部は、前記一対の可動子に対して、操作軸に所定のトルク値を越えるトルクが加わると空回りするように構成されることを特徴とする請求項１乃至４のいずれか１項に記載の、折損した先細り中空柱状物の仮固定装置。
【発明の詳細な説明】
【技術分野】
【０００１】
本発明は、折損した先細り中空柱状物、例えば、電柱が車輌などに追突され、根元付近である地際で折損し、折損した電柱の地上残存部が地中残存部から位置ずれした場合に、折損した電柱の地上残存部を地中残存部内に支持された補強管に応急措置として仮固定するための折損した先細り中空柱状物の仮固定装置に関する。
【背景技術】
【０００２】
先細りした中空柱状物、例えば、配電線などを架設している電柱は、鉄筋コンクリート製であると、中空孔が成形された筒状体であり、下側の６分の１ほどが地中に埋められている。このような電柱の地際に車輌Ａなどが衝突すると、図８（ａ）に示すように、地際のコンクリートが損壊し、鉄筋５が曲がり、折損した電柱Ｐの地上残存部Ｐ２が損壊することなく配電線に掛止した状態で、折損した電柱Ｐの地中残存部Ｐ１から位置ずれすることがある。
【０００３】
このような場合、図９に示すように、仮固定手段３によって、折損した電柱Ｐの地中残存部Ｐ１と地上残存部Ｐ２とが仮固定されることにより、仮復旧されることがある。具体的に説明すると、補強管６０の上側部が地上に臨出するように、折損した電柱Ｐの地中残存部Ｐ１内に、該地中残存部Ｐ１よりも小径の補強管６０が挿入される。そして、地上に臨出した補強管６０の上側部と、折損した電柱Ｐの地上残存部Ｐ２とがチェーン３１などで連結される。すなわち、地上に臨出した補強管６０の上側部に、折損した電柱Ｐの地上残存部Ｐ２が抱持されて仮固定される。
【０００４】
そして、折損した電柱Ｐの地中残存部Ｐ１内に挿入した補強管２を支持する手段としては、例えば、図８（ｂ）に示すように、折損した電柱Ｐの地中残存部Ｐ１の開口端部と補強管６０との間に楔状のスペーサＳを差し込んで、前記地中残存部Ｐ１内において補強管６０を支持するものが知られている（特許文献１）。
【０００５】
また、例えば、図１０および図１１に示すように、一対の屈伸アーム７と、該一対の屈伸アーム７の端部のそれぞれに取り付けられた当接板８，８とで構成されるアウトリガー１０が、補強管６０の内部に軸方向に沿って複数配置されているものが知られている（特許文献２）。
【０００６】
特許文献２に示す装置の場合、上側部が地上に臨出するように、折損した電柱Ｐの地中残存部Ｐ１に、該地中残存部Ｐ１よりも小径の補強管６０が挿入される。つぎに、補強管６０に配置されたアウトリガー１０の屈伸アーム７，７が伸長されて、前記地中残存部Ｐ１の内面に、アウトリガー１０の当接板８，８が圧接する。そうすることで、前記地中残存部Ｐ１内において、補強管６０が支持される。そして、支持された補強管６０の上側部に、前記地上残存部Ｐ２が仮固定手段３によって所定期間仮固定されている。
【先行技術文献】
【特許文献】
【０００７】
【特許文献１】特開２００９−２９３２７４号公報
【特許文献２】特開平６−３２３０４０号公報
【発明の概要】
【発明が解決しようとする課題】
【０００８】
しかしながら、特許文献１に示す装置の場合、折損した電柱Ｐの地中残存部Ｐ１の開口端部と補強管６０との間にスペーサＳを差し込んでいるため、車輌Ａの衝突によってもろくなっている前記地中残存部Ｐ１の開口端部の強度をより低下させてしまうことが考えられる。この場合、折損した電柱Ｐの地上残存部Ｐ２は、補強管６０に所定期間仮固定されることになるが、仮固定期間中に前記地中残存部Ｐ１の開口端部が崩れて、前記地上残存部Ｐ２が傾斜する可能性もある。また、スペーサＳに対する作業工程が増えるため、作業性もよくない。また、復旧後に、前記地中残存部Ｐ１の開口端部から差し込んだスペーサＳを引き抜く作業も容易ではなく、多大の時間と労力を要する。
【０００９】
特許文献２に示す装置の場合、折損した電柱Ｐの地中残存部Ｐ１の内面がテーパ内面であるにも拘わらず、アウトリガー１０の屈伸アーム７，７の伸長長さはどの位置にあっても一定になっている。このため、実際には、前記地中残存部Ｐ１内に安定した状態で、補強管６０を支持できるような構成にはなっていない。
【００１０】
そこで、本発明は、上記課題に鑑み、折損した先細り中空柱状物の地中残存部内に挿入した補強管を、前記地中残存部内で容易にかつ安定して支持できるようにした、折損した先細り中空柱状物の仮固定装置を提供することを目的とする。
【課題を解決するための手段】
【００１１】
本発明に係る、折損した先細り中空柱状物の仮固定装置は、折損した先細り中空柱状物の地中残存部の空洞部に、上側部が地上に臨出するように挿入される補強管と、地上に臨出する補強管の上側部に、折損した先細り中空柱状物の地上残存部を抱持させて仮固定する仮固定手段とを備えた、折損した先細り中空柱状物の仮固定装置において、前記空洞部内で前記補強管を支持できるように、前記補強管の周方向および軸方向に所定の間隔をおいて配置され、前記空洞部のテーパ内面に接離可能に設けられる複数の支持部と、該複数の支持部を前記空洞部のテーパ内面に対して進退させる駆動部と、個々の支持部を前記空洞部のテーパ内面に所定の位置で圧接させる位置規制部とで構成される補強管支持手段を備えたことを特徴とする。
【００１２】
かかる構成によれば、駆動部によって、前記空洞部のテーパ内面に向かって複数の支持部が進出し、位置規制部によって、進出した個々の支持部が前記空洞部のテーパ内面に所定の位置で圧接するので、前記空洞部内に補強管を安定した状態で支持することができる。したがって、補強管に、折損した先細り中空柱状物の地上残存部を所定期間仮固定できるようになる。
【００１３】
また、本発明の一態様として、前記支持部は、ロッドの先端部に着脱可能に取り付けられ、前記空洞部のテーパ内面に当接する当接板を備えるような構成を採用することもできる。
【００１４】
この場合、操作軸を正方向に回転操作すると、前記空洞部のテーパ内面に当接板が当接することになる。一方、操作軸を逆方向に回転操作すると、前記空洞部のテーパ内面から当接板が離間することになる。
【００１５】
また、本発明の他態様として、前記駆動部は、前記補強管に、該補強管の軸線に沿って挿入される操作軸と、該操作軸を正方向に回転操作することによって近接するとともに、前記操作軸を逆方向に回転操作することによって離間する一対の可動子と、互いの対向する一端部が回動自在に連結され、互いの他端部が前記一対の可動子に連結される屈伸アームと、前記操作軸を中心にして前記空洞部のテーパ内面に向かって延出するように、前記屈伸アームの両一端部の連結部に配置されるロッドとで構成されることが好ましい。
【００１６】
この場合、操作軸を正方向に回転操作すると、一対の可動子が近接する方向に移動するとともに、屈伸アームが屈曲して、前記空洞部のテーパ内面に向かってロッドが進出することになる。一方、操作軸を逆方向に回転操作すると、一対の可動子が離間する方向に移動するとともに、屈伸アームが伸長して前記空洞部のテーパ内面からロッドが後退することになる。
【００１７】
また、本発明の他態様として、前記位置規制部は、前記ロッドに対して、前記空洞部のテーパ内面に応じて、前記ロッドの延出長さが設定されるように構成されることが好ましい。
【００１８】
この場合、前記空洞部のテーパ内面に応じて、ロッドの延出長さが設定されるので、前記空洞部の軸方向のテーパ内面の内径に合わせて当接板を圧接することができ、前記空洞部に対して、補強管を略直立した状態に支持することができる。
【００１９】
また、本発明の他態様として、前記位置規制部は、前記一対の可動子に対して、操作軸に所定のトルク値を越えるトルクが加わると空回りするように構成されてもよい。
【００２０】
この場合、当接板が前記空洞部のテーパ内面に圧接した際に、操作軸に所定のトルク値を越えたトルクが加わると、一対の可動子の近接方向の移動が空回りする、すなわち、一対の可動子が停止するので、前記空洞部のテーパ内面に当接板が圧接した位置で、当接板の進出位置が規制されるようになり、前記空洞部のテーパ内面に圧接した当接板によって、補強管が支持されることになる。
【発明の効果】
【００２１】
本発明によれば、折損した先細り中空柱状物の地中残存部内に挿入した補強管を、前記地中残存部内で容易にかつ安定して支持することができる。
【図面の簡単な説明】
【００２２】
【図１】本発明の一実施形態に係る、折損した先細り中空柱状物（電柱）の仮固定装置を示す正面図、および、該仮固定装置の支持部を示す拡大図。
【図２】駆動部の屈伸アームが伸長して、支持部が、折損した電柱の地中残存部の内面から離間している状態を示す拡大斜視図。
【図３】前記仮固定装置の使用態様を示す図であり、前記地中残存部内に補強管を挿入する状態を示す断面図。
【図４】前記地中残存部内に補強管を挿入した状態を示す断面図。
【図５】前記地中残存部内に挿入した補強管を支持した状態を示す断面図。
【図６】駆動部の屈伸アームが屈曲して、支持部が、折損した中空柱状物の地中残存部の内面に圧接する状態を示す拡大斜視図。
【図７】地上に臨出した、前記地中残存部内に支持された補強管の上側部に、折損した電柱の地上残存部を仮固定手段によって仮固定する状態を示す断面図。
【図８】（ａ）は、電柱に車輌が衝突して、電柱が折損した状態を示す図、（ｂ）は、従来の折損した電柱の仮固定装置を示す図であり、折損した電柱の地中残存部の開口端部と補強管との間に、楔状のスペーサを差し込んだ状態を示す斜視図。
【図９】図８（ｂ）に示す従来の折損した電柱の仮固定装置において、地上に臨出した、前記地中残存部内に支持された補強管の上側部に、前記地上残存部を仮固定手段によって仮固定する状態を示す断面図。
【図１０】他の従来の折損した電柱の仮固定装置を示す断面図。
【図１１】図１０に示す折損した電柱の仮固定装置の要部を示す拡大図。
【発明を実施するための形態】
【００２３】
本発明の一実施形態に係る、折損した先細り中空柱状物の仮固定装置について図１〜図７を参照しながら説明する。なお、本実施形態においては、折損した先細り中空柱状物として、電線が架設された電柱Ｐに車輌が衝突して、電柱が折損した場合を例にとって説明する。また、図２および図６においては、折損した電柱の地中残存部、補強管、緩衝部材は省略して、補強管支持手段のみを図示している。また、図１，図３，図４，図５においては、正確に図示していないが、ロッドの長さは、地中残存部のテーパ内面に応じて調整されているものとする。
【００２４】
本実施形態に係る、折損した先細り中空柱状物の仮固定装置１は、図１に示すように、補強管２と、仮固定手段３と、補強管支持手段４とを備えている。
【００２５】
補強管２は、金属製または硬質合成樹脂製の長尺の管体で構成されている。そして、補強管２は、折損した電柱Ｐの地中残存部Ｐ１の内径よりも小径になっている。また、補強管２は、折損した電柱Ｐの地中残存部Ｐ１の空洞部Ｈに挿入した状態において、補強管２の上側部が地上に臨出する長さに設定されている。地上に臨出した補強管２の臨出部に、折損した電柱Ｐの地上残存部Ｐ２が仮固定手段３によって仮固定される（図７参照）。
【００２６】
仮固定手段３は、一対の介挿部材３０，３０と、チェーン３１，３１と、締め付け具とで構成され、地上に臨出する補強管２の上側部に、折損した電柱Ｐの地上残存部Ｐ２を抱持させて仮固定する。そして、仮固定手段３の一対の介挿部材３０，３０と、チェーン３１，３１とは、予め補強管２に取り付けられている。
【００２７】
一対の介挿部材３０，３０は、地上に臨出する補強管２の上側部と前記地上残存部Ｐ２との間に介挿されるもので、地上に臨出する補強管２の上側部表面、および、前記地上残存部Ｐ２の表面に密着するように、円弧状の当接面が形成されている（図示せず）。
【００２８】
チェーン３１，３１は、図示しない締め付け具によって、地上に臨出する補強管２の上側部と、介挿部材３０，３０と、前記地上残存部Ｐ２とを締め付けて一体化するために使用される。
【００２９】
補強管支持手段４は、図２に示すように、支持部４０と、駆動部４１と、位置規制部とを備えている。
【００３０】
支持部４０は、図２に示すように、ロッド４００と、当接板４０１と、緩衝部材（図示せず）とを備えている。
【００３１】
ロッド４００は、図２に示すように、前記空洞部Ｈ内で補強管２を支持できるように、補強管２の周方向および軸方向に所定の間隔をおいて配置されるとともに、前記空洞部Ｈのテーパ内面に対して近接・離間するように設けられる。そして、ロッド４００は、短尺の金属製のねじ棒で構成されている。そして、ロッド４００は、後述する駆動部４１の操作軸４１０を中心にして前記空洞部Ｈのテーパ内面に向かって延出するように、後述する駆動部４１の屈伸アーム４１２の両一端部の連結部、すなわち、支持板４１２０の略中央部のねじ孔（図示せず）に螺合して、支持板４１２０に取り付けられている。
【００３２】
当接板４０１は、金属製または合成樹脂製の矩形状の板部材で構成されている。そして、図２に示すように、当接板４０１の背面中央部が、ロッド４００の先端部に着脱可能に取り付けられ、当接板４０１の表面が前記空洞部Ｈのテーパ内面に対して接離する。
【００３３】
緩衝部材４０２は、当接板４０１の表面に固着されたゴム製の板材で構成されている。そして、緩衝部材４０２は、図１に示すように、前記空洞部Ｈのテーパ内面に密着するように、表面に凹凸が形成されている。なお、緩衝部材４０２としては、ゴム製のものに限らず、柔軟性を有する合成樹脂製のシートであってもよい。
【００３４】
駆動部４１は、図２に示すように、操作軸４１０と、一対の可動子４１１ａ，４１１ｂと、屈伸アーム４１２とで構成されている。そして、駆動部４１は、支持部４０の複数のロッド４００，…を前記空洞部Ｈのテーパ内面に対して進退するように構成されている。
【００３５】
操作軸４１０は、長尺の金属製のねじ棒で構成されている。そして、操作軸４１０は、図２に示すように、補強管２に、該補強管２の軸線に沿って挿入されるとともに、回転自在に軸支されている。また、操作軸４１０は、図１に示すように、その上端部が補強管２の開口端部から臨出するとともに、略９０度に折り曲げられている。なお、操作軸４１０の上端部をラチェット等の操作工具が嵌合するように六角形に形成してもよい。
【００３６】
一対の可動子４１１ａ，４１１ｂは、正方向にねじ孔が形成された雌ねじ４１１ａと、逆方向にねじ孔が形成された雌ねじ４１１ｂとで構成されている。そして、一対の可動子４１１ａ，４１１ｂは、図６に示すように、操作軸４１０を正方向に回転操作することによって近接するとともに、図２に示すように、前記操作軸４１０を逆方向に回転操作することによって離間する。
【００３７】
屈伸アーム４１２，４１２は、図２に示すように、互いの対向する一端部が、後述する支持板４１２０の両端部に回動自在に連結され、互いの他端部が前記一対の可動子４１１ａ，４１１ｂに連結される。そして、一対の屈伸アーム４１２，４１２の連結部は、一対の可動子４１１ａ，４１１ｂの中間位置にある。
【００３８】
支持板４１２０は、図２に示すように、矩形状の板部材で構成され、その中央部に、ロッド４００が螺着するねじ孔（図示せず）を有している。そして、支持板４１２０は、上述したように、屈伸アーム４１２，４１２の互いの対向する一端部に回転自在に連結されており、ロッド４００に対して直交した状態で、前記空洞部Ｈのテーパ内面に対して進退するように構成されている。
【００３９】
位置規制部は、個々のロッド４００，…を前記空洞部Ｈのテーパ内面に所定の位置で圧接させるべく、個々のロッド４００，…に対して、前記空洞部Ｈのテーパ内面に応じて、個々のロッド４００，…の支持板４１２０（屈伸アーム４１２，４１２の連結部）から当接板４０１までの長さ（延出長さＬ１〜Ｌ３）が設定されている（図１の拡大図参照）。
【００４０】
つぎに使用態様について図１〜図７を参照して説明する。電柱Ｐが折損した場合、まず、図３に示すように、折損した電柱Ｐの地中残存部Ｐ１の空洞部Ｈに、補強管２を挿入する。この際、図２および図４に示すように、仮固定手段３の一対の介挿部材３０，３０と、チェーン３１，３１とは、予め補強管２に取り付けられている。また、補強管２における補強管支持手段４の駆動部４１の屈伸アーム４１２，４１２が伸長して、前記地中残存部Ｐ１内に周方向および軸方向に配置された複数のロッド４００，…が前記地中残存部Ｐ１のテーパ内面から後退した状態になっている。また、複数のロッド４００，…を、地上から見た場合は、操作軸４１０を中心にして放射状（直交する中心線上）に配置されている。
【００４１】
また、上述したように、個々のロッド４００，…は、図１の拡大図に示すように、前記地中残存部Ｐ１のテーパ内面に応じて個々のロッド４００，…の支持板４１２０（屈伸アーム４１２，４１２の連結部）から当接板４０１までの長さ（延出長さＬ１〜Ｌ３）が設定されている。すなわち、前記地中残存部Ｐ１の基端部側に配置された個々のロッド４００，…の支持板４１２０から当接板４０１までの延出長さ（Ｌ１）が最も長く設定され、前記地中残存部Ｐ１の先端部に向かうにしたがって、個々のロッド４００，…の支持板４１２０から当接板４０１までの延出長さ（Ｌ１＜Ｌ＜Ｌ３）が短くなるように設定され、前記地中残存部Ｐ１の先端部側に配置された個々のロッド４００，…の支持板４１２０から当接板４０１までの延出長さ（Ｌ３）が最も短くなるように設定されている。
【００４２】
つぎに、図５および図６に示すように、駆動部４１の操作軸４１０を正方向に回転操作すると、一対の可動子４１１ａ，４１１ｂが近接する方向に移動するとともに、屈伸アーム４１２，４１２が屈曲して、前記地中残存部Ｐ１の空洞部Ｈのテーパ内面に向かって複数のロッド４００，…が進出し、前記空洞部Ｈのテーパ内面に当接板４０１が密接することになる。
【００４３】
これによって、前記地中残存部Ｐ１内において、複数のロッド４００，…が前記地中残存部Ｐ１の内面に向かって放射状に進出して、補強管２が略直立した状態で、かつ、安定した状態で支持されるようになる。
【００４４】
つぎに、図７に示すように、折損した電柱Ｐの地上残存部Ｐ２がクレーン等の移動手段で近付けられる（図示せず）。そして、地上に臨出した補強管２の上側部と前記地上残存部Ｐ２とにチェーン３１，３１が巻付けられて、図示しない締付け具で締付け固定されて、前記地上残存部Ｐ２が補強管２を介して前記地中残存部Ｐ１に仮固定されるようになる。その後、送電が開始される。
【００４５】
仮復旧後、仮固定装置１を取り外す場合は、図示しない締め付け具を緩めて、チェーン３１，３１を取り外し、補強管２の上側部と前記地上残存部Ｐ２との間に介挿された介挿部材３０，３０を取り出す。そして、補強管支持手段４の駆動部４１の操作軸４１０を逆方向に回転させて、屈伸アーム４１２，４１２を伸張させて、支持部４０の複数のロッド４００，…を前記地中残存部Ｐ１のテーパ内面から後退させて、支持部４０の当接板（緩衝部材４０２）４０１，…を前記地中残存部Ｐ１のテーパ内面から離脱させる。その後、前記地中残存部Ｐ１の空洞部Ｈから補強管２を引き抜く。
【００４６】
以上、本実施形態に係る、折損した先細り中空柱状物の仮固定装置１によれば、補強管支持手段４の駆動部４１によって、前記空洞部Ｈのテーパ内面に向かって、支持部４０の複数のロッド４００，…が進出し、位置規制部によって、進出した個々のロッド４００，…が前記空洞部Ｈのテーパ内面に所定の位置で圧接するので、前記空洞部Ｈ内に補強管２を容易に且つ安定した状態で支持することができる。したがって、補強管２に、折損した電柱Ｐの地上残存部Ｐ２を所定期間仮固定できるようになる。
【００４７】
なお、本発明に係る折損した先細り中空柱状物の仮固定装置１は、前記実施形態に限定することなく種々変更することができる。
【００４８】
例えば、前記実施形態の場合、位置規制部として、個々のロッド４００，…の延出長さＬ１〜Ｌ３を設定するようにしたが、一対の可動子４１１ａ，４１１ｂに対して、操作軸４１０に所定のトルク値を越えるトルクが加わると空回りするように構成してもよい。この場合も、前記と同様に、当接板４０１を前記地中残存部Ｐ１のテーパ内面に密接させることができる。
【００４９】
また、前記実施形態の場合、中空の柱状物として、電線が架設された電柱Ｐを例にとって説明したが、電灯柱、搭状の構築物にも適用できる。
【符号の説明】
【００５０】
１…折損した先細り中空柱状物の仮固定装置、２…補強管、３…仮固定手段、４…補強管支持手段、４０…支持部、４１…駆動部、４００…ロッド、４０１…当接板、４０２…緩衝部材、４１０…操作軸、４１１ａ，４１１ｂ…可動子、４１２…屈伸アーム、Ｐ…電柱（折損した先細りの中空柱状物）、Ｐ１…地中残存部、Ｐ２…地上残存部、Ｈ…空洞部
【図１】
2014206024.tif 000003
【図２】
2014206024.tif 000004
【図３】
2014206024.tif 000005
【図４】
2014206024.tif 000006
【図５】
2014206024.tif 000007
【図６】
2014206024.tif 000008
【図７】
2014206024.tif 000009
【図８】
2014206024.tif 000010
【図９】
2014206024.tif 000011
【図１０】
2014206024.tif 000012
【図１１】
2014206024.tif 000013